(57)【要約】      （修正有）【課題】印象採得後の印象材に薄肉部分が生じにくく、適切な印象採得が可能な印象トレイを提供する。【解決手段】本発明の印象トレイは、印象材充填部Ｙを有する本体１０と持ち手部２０を備えた印象トレイであって、本体１０の周壁の内面に、歯牙が本体１０の周壁に接触するのを防止する規制突起が設けられたものである。本体１０が外壁部１１を備えたものである場合、規制突起として歯牙の前面側が外壁部１１に接触するのを防止する前側規制突起１１ｃを設けることができる。本体１０が内壁部１２を備えたものである場合、規制突起として歯牙の裏面側が内壁部１２に接触するのを防止する裏側規制突起１２ｂを設けることができる。本体１０が底面部１３を備えたものである場合、規制突起として歯牙の先端側が底面部１３に接触するのを防止する底側規制突起１３ａを設けることができる。【選択図】図１
2020054818.tif 000002
【特許請求の範囲】
【請求項１】
印象材充填部を有する本体に持ち手部が設けられた印象トレイにおいて、
前記本体の周壁の内面に、歯牙が本体の周壁に接触するのを防止する規制突起が設けられた、
ことを特徴とする印象トレイ。
【請求項２】
請求項１記載の印象トレイにおいて、
本体は口腔内に入れた際に歯牙の外側に位置する外壁部を備え、
規制突起として歯牙の前面側が外部壁に接触するのを防止する前側規制突起が前記外壁部の内面に内向きに突設された、
ことを特徴とする印象トレイ。
【請求項３】
請求項１又は請求項２記載の印象トレイにおいて、
本体は口腔内に入れた際に歯牙の内側に位置する内壁部を備え、
規制突起として歯牙の裏面側が内壁部に接触するのを防止する裏側規制突起が前記内壁部の内面に内向きに突設された、
ことを特徴とする印象トレイ。
【請求項４】
請求項１から請求項３のいずれか１項に記載の印象トレイにおいて、
本体は口腔内に入れた際に歯牙の先端側に位置する底面部を備え、
規制突起として歯牙の先端側が底面部に接触するのを防止する底側規制突起が前記底面部の内面に内向きに突設された、
ことを特徴とする印象トレイ。
【請求項５】
請求項１から請求項４のいずれか１項に記載の印象トレイにおいて、
規制突起の頂部が歯牙と線で接触する線状又は歯牙と点で接触する点状である、
ことを特徴とする印象トレイ。
【請求項６】
請求項１から請求項５のいずれか１項に記載の印象トレイにおいて、
持ち手部は持ち手基部と当該持ち手基部に分離可能に設けられた突設片を備え、
前記突設片は、持ち手基部から分離して印象採得後の印象材の長手方向端部側に立設することによって、当該印象材の歯型凹部に流し込まれる石膏が当該歯型凹部から流れ出るのを防止することができる、
ことを特徴とする印象トレイ。
【発明の詳細な説明】
【技術分野】
【０００１】
本発明は、印象採得に用いる印象トレイに関する。
【背景技術】
【０００２】
歯の治療や審美性向上のため、歯牙にマウスピースや装飾カバー等（以下、これらを「装着物」という）を被せることがある。装着物の製作に当たっては、当該装着物を使用する者（以下、単に「使用者」という）の歯牙の印象採得を行う。印象採得は、印象材を入れた印象トレイを使用者の口腔内に挿入し、当該印象材を使用者の歯牙に押し付けることによって行う。印象採得に用いる印象トレイとしては、例えば、トレイの底面に歯牙と接触する板や棒を備えたもの等が知られている（特許文献１）。この板や棒は歯牙を接触させてトレイを安定させるためのものである。
【先行技術文献】
【特許文献】
【０００３】
【特許文献１】特開２０１４−２１７４５０号公報
【発明の概要】
【発明が解決しようとする課題】
【０００４】
従来、印象採得は歯の治療に際して行われることが多かったが、近年では、審美性向上を目的とする装着物の製作に際して行われることも増えており、美容サロンなどにおいて、使用者自身で印象採得を行うことがある。ところが、多くの場合、使用者は印象採得の経験がないため、印象トレイを適切な位置にセットすることができず、中切歯（いわゆる前歯）が印象トレイの周壁（中切歯の前面側の壁や裏面側の壁）に接触して、印象材が部分的に薄くなることがあった。印象採得後の印象材に薄肉部分が生じると、その後に行う石膏型取り作業時のバイブレータの振動によって当該薄肉部分が変形して正確な模型を作ることができず、結果として、最適な装着感を備えた装着物を製作することができないという不都合が生じることがあった。
【０００５】
本発明は前記事情に鑑みてなされたものであり、その解決課題は、印象採得に際して印象材に薄肉部分が生じにくく、適切な印象採得が可能な印象トレイを提供することにある。
【課題を解決するための手段】
【０００６】
本発明の印象トレイは、印象材充填部を有する本体と持ち手部を備えた印象トレイであって、本体の周壁の内面に、歯牙が本体の周壁に接触するのを防止する規制突起が設けられたものである。
【発明の効果】
【０００７】
本発明の印象トレイは、本体の周壁の内面に、歯牙が本体の周壁に接触するのを防止する規制突起が設けられており、当該規制突起によって歯牙が適切な位置に導かれるため、印象採得に際して、歯牙が印象トレイの周壁に接触することによる不都合が生じにくい。
【図面の簡単な説明】
【０００８】
【図１】（ａ）（ｂ）は本発明の印象トレイの一例を示す斜視図。
【図２】図１（ａ）（ｂ）に示す印象トレイの平面図。
【図３】（ａ）は図２のａ−ａ断面図、（ｂ）は図２のｂ−ｂ断面図、（ｃ）は図２のｃ−ｃ断面図、（ｄ）は図２のｄ−ｄ断面図。
【図４】（ａ）は前側規制突起のない印象トレイの外壁部に中切歯が接触した場合の説明図、（ｂ）は本発明の印象トレイの前側規制突起の作用説明図、（ｃ）は裏側規制突起のない印象トレイの内壁部に中切歯が接触した場合の説明図、（ｄ）は本発明の印象トレイの裏側規制突起の作用説明図。
【図５】（ａ）〜（ｃ）は本発明の印象トレイの使用例の説明図。
【図６】（ａ）は本発明の印象トレイの一例を示す正面図、（ｂ）は（ａ）の背面図、（ｃ）は（ａ）の平面図、（ｄ）は（ａ）の底面図、（ｅ）は（ａ）の左側面図、（ｆ）は（ａ）の右側面図。
【図７】（ａ）は本発明の印象トレイの他例を示す上面側斜視図、（ｂ）は（ａ）の底面側斜視図。
【図８】（ａ）は図７（ａ）（ｂ）に示す印象トレイの正面図、（ｂ）は（ａ）の背面図、（ｃ）は（ａ）の平面図、（ｄ）は（ａ）の底面図、（ｅ）は（ａ）の左側面図、（ｆ）は（ａ）の右側面図。
【発明を実施するための形態】
【０００９】
（実施形態）
本発明の印象トレイの実施形態の一例を、図面を参照して説明する。本発明の印象トレイは、上顎用トレイとしても下顎用トレイとしても利用できるものであるが、説明の便宜上、ここでは上顎用トレイとして使用する場合を一例として説明する。
【００１０】
図１（ａ）（ｂ）にこの実施形態の印象トレイの斜視図を、図２にその平面図を示す。図１（ａ）（ｂ）及び図２において、１０は本体、２０は持ち手部である。本体１０と持ち手部２０は樹脂で一体成型されている。前記本体１０は印象採得用の印象材Ｘ（図４（ａ）〜（ｄ））を充填する印象材充填部Ｙを備えている。この実施形態の本体１０は外壁部１１と内壁部１２と底面部１３を備えた断面視上向きコ字状であり、それら外壁部１１と内壁部１２と底面部１３の内側に印象材充填部Ｙが設けられている。外壁部１１は口腔内にセットされた際に歯牙の外側に位置する部分、内壁部１２は口腔内にセットされた際に歯牙の内側に位置する部分、底面部１３は口腔内にセットされた際に歯牙の先端側（上顎用トレイの場合は下側、下顎用トレイの場合は上側）に位置する部分である。この実施形態の印象材充填部Ｙは、少なくとも、二本の中切歯、二本の側切歯、二本の犬歯及び二本の第一小臼歯の合計八本の印象を採得できるような広さを確保してある。
【００１１】
外壁部１１及び内壁部１２は歯列に沿うように湾曲しており、底面部１３は外壁部１１及び内壁部１２に沿う形に湾曲している。外壁部１１及び内壁部１２には、それぞれ縦長のスリット（以下、外壁部１１に形成されたスリットを「外壁スリット１１ａ」と、内壁部１２に形成されたスリットを「内壁スリット１２ａ」という）が間隔をあけて複数本形成されている。外壁部１１の中心付近には外壁スリット１１ａが形成されていない無穴面１１ｂが設けられている。
【００１２】
前記外壁スリット１１ａの間には外側縦柱部１１ｄが設けられている。外側縦柱部１１ｄは内壁部１２側に突出する内向き突出部と外側に突出する外向き突出部を備えた横断面視ひし形状の柱である。内向き突出部の頂部は、歯牙との接点が小さくなるように先鋭な尖頭状にしてある。外向き突出部の頂部も先鋭な尖頭状にしてある。外向き突出部の頂部を先鋭な尖頭状にすることで、外壁スリット１１ａから外側に押し出された印象材Ｘが外側縦柱部１１ｄの外側に回り込みやすくなり、結果として印象材Ｘと印象トレイの付着力が向上する。印象材Ｘと印象トレイの付着力を向上させることで、印象採得時に印象材Ｘが口腔内に残存するおそれを低減することができる。
【００１３】
前記内壁スリット１２ａの間には内側縦柱部１２ｄが設けられている。内側縦柱部１２ｄは外壁部１１側に突出する内向き突出部と外側に突出する外向き突出部を備えた横断面視ひし形状の柱である。外側縦柱部１１ｄの内向き突出部と同様、内側縦柱部１２ｄの内向き突出部の頂部は、歯牙との接点が小さくなるように先鋭な尖頭状にしてある。外向き突出部の頂部も先鋭な尖頭状にしてある。外向き突出部の頂部を先鋭な尖頭状にすることで、内壁スリット１２ａから外側に押し出された印象材Ｘが内側縦柱部１２ｄの外側に回り込み、結果として印象材Ｘと印象トレイの付着力が向上する。印象材Ｘと印象トレイの付着力を向上させることで、印象採得時に印象材が口腔内に残存するおそれを低減することができる。
【００１４】
外壁部１１の内面には、印象採得に際して中切歯Ｔ（図４（ａ）〜（ｄ））の前面側が外壁部１１に接触するのを防止する規制突起（以下「前側規制突起」という）１１ｃが設けられている。前側規制突起１１ｃは内壁部１２側に向けて突設されている。前側規制突起１１ｃは外壁部１１の中心付近の裏面側、より具体的には、中切歯Ｔの前面側に設けられている。図３（ａ）に示すように、この実施形態の前側規制突起１１ｃは外壁部１１の上端から下端の略全長に亘って形成された突起であり、内壁部１２側からは一本の縦長の線状に見える突起である。この実施形態の前側規制突起１１ｃの頂部は、接点が小さくなるように先鋭な尖頭状にしてある。
【００１５】
この実施形態では、前側規制突起１１ｃが幅方向に間隔をあけて二つ設けられている。前側規制突起１１ｃは二つより多くても少なくてもよい。図３（ａ）に示すように、各前側規制突起１１ｃは、中切歯Ｔの勾配に沿うように、上端側から下端側に向けて突出長が小さくなるように傾斜させてある。この実施形態の前側規制突起１１ｃの最高突出長Ｈ１（図３（ａ））は３ｍｍ程度としてある。この寸法は一例であり、前側規制突起１１ｃの最高突出長Ｈ１は３ｍｍより高くすることも低くすることもできる。
【００１６】
この実施形態の前側規制突起１１ｃは中切歯Ｔの勾配に沿うように下側（底面部１３側）が低くなる傾斜形状であるため、印象採得に際して中切歯Ｔが外壁部１１側に近づきすぎた場合にも、当該傾斜面によって中切歯Ｔが適切な位置に誘導される。図４（ａ）に示すように、前側規制突起１１ｃのない従来の印象トレイでは、中切歯Ｔが外壁部Ｗ１側に近づくと、そのまま外壁部Ｗ１に接触或いは近接して、印象材Ｘの当該接触又は近接した部分が薄肉になる。これに対し、外壁部１１に前側規制突起１１ｃを備えた本実施形態の印象トレイでは、中切歯Ｔが外壁部１１側に近づくと、図４（ｂ）に示すように印象材充填部Ｙの前後方向中央側に誘導され、中切歯Ｔは前側規制突起１１ｃに点接触又は線接触するにとどまり、外壁部１１に面接触することがないため、広範囲にわたって印象材Ｘが薄くなることがない。
【００１７】
内壁部１２の内面には、印象採得に際して中切歯Ｔの裏面側が内壁部１２に接触するのを防止する規制突起（以下「裏側規制突起」という）１２ｂが設けられている。裏側規制突起１２ｂは外壁部１１側に向けて突設されている。裏側規制突起１２ｂは内壁部１２の中心付近の前面側、より具体的には、中切歯Ｔの裏面側に設けられている。この実施形態の各裏側規制突起１２ｂは、図３（ｂ）に示すように、内壁部１２の上端から底面部１３の前後方向中央ないしは前後方向前方寄りの位置にかけて形成された側面視三角形状の突起であり、外壁部１１側からは一本の縦長の線状の突起に見える。この実施形態の裏側規制突起１２ｂの頂部は、接点が小さくなるように先鋭な尖頭状にしてある。
【００１８】
裏側規制突起１２ｂが幅方向に間隔をあけて二つ設けられている。裏側規制突起１２ｂは二つより多くても少なくてもよい。この実施形態の裏側規制突起１２ｂの最高突出長Ｈ２（図３（ｂ））は１２ｍｍ程度としてある。この寸法は一例であり、裏側規制突起１２ｂの最高突出長Ｈ２は１２ｍｍより高くすることも低くすることもできる。
【００１９】
この実施形態の裏側規制突起１２ｂは前方に向けた下り傾斜の形状であるため、印象採得に際して中切歯Ｔが内壁部１２側に近づきすぎた場合にも、当該傾斜面によって、中切歯Ｔが適切な位置に誘導される。図４（ｃ）に示すように、裏側規制突起１２ｂのない従来の印象トレイでは、中切歯Ｔが内壁部Ｗ２側に近づくと、そのまま内壁部Ｗ２に接触或いは近接して、印象材Ｘの当該接触又は近接した部分が薄肉になる。これに対し、内壁部１２に裏側規制突起１２ｂを備えた本実施形態の印象トレイでは、中切歯Ｔが内壁部１２側に近づくと、図４（ｄ）に示すように印象材充填部Ｙの前後方向中央側に誘導され、中切歯Ｔは裏側規制突起１２ｂに点接触又は線接触するにとどまり、内壁部１２に面接触することがないため、広範囲にわたって印象材Ｘが薄くなることがない。
【００２０】
内壁部１２には、裏側規制突起１２ｂとは別に、印象採得に際して第一小臼歯が側方側にずれるのを防止する規制突起（以下「側方規制突起」という）１２ｃが設けられている。側方規制突起１２ｃは外壁部１１側に向けて突設されている。側方規制突起１２ｃは内壁部１２の長手方向両端側、より具体的には、第一小臼歯の外側（第一小臼歯と第二小臼歯の間）に設けられている。この実施形態の側方規制突起１２ｃは、図３（ｃ）に示すように、内壁部１２上端から底面部１３の前後方向後方寄りの位置にかけて形成された側面視三角形状の突起である。
【００２１】
この実施形態の側方規制突起１２ｃの最高突出長Ｈ３（図３（ｃ））は２ｍｍ程度としてある。この寸法は一例であり、側方規制突起１２ｃの最高突出長Ｈ３は２ｍｍより長くすることも短くすることもできる。
【００２２】
このように、内壁部１２の長手方向両端側に側方規制突起１２ｃを設けることで、印象採得に際して採得対象である歯牙（例えば、左の第一臼歯から右の第一臼歯までの八本）全体が、適切な位置に誘導される。
【００２３】
この実施形態では、内壁部１２に側方規制突起１２ｃが設けられた場合を一例としているが、側方規制突起１２ｃは、外壁部１１の長手方向両端側や底面部１３の長手方向両端側に設けることもできる。側方規制突起１２ｃは、外壁部１１と内壁部１２と底面部１３の全てに設けることも、これらのいずれか一又は二以上に設けることもできる。側方規制突起１２ｃは、外壁部１１に設ける場合は内壁部１２側に向けて突設し、底面部１３に設ける場合は上方に向けて突設する。
【００２４】
底面部１３の内面（上面）には、印象採得に際して歯牙の先端が底面部１３に接触するのを防止する規制突起（以下「底側規制突起」という）１３ａが設けられている。底側規制突起１３ａは上向きに突設されている。底側規制突起１３ａは前記二本の前側規制突起１１ｃの両外側に設けられている。具体的には、前記二本の前側規制突起１１ｃの一方よりも外側に五本の底側規制突起１３ａが間隔をあけて設けられ、他方の前側規制突起１１ｃよりも外側に五本の底側規制突起１３ａが間隔をあけて設けられている。底側規制突起１３の本数は、五本より多くても少なくてもよい。この実施形態の底側規制突起１３ａの頂部は、接点が小さくなるように先鋭な尖頭状にしてある。この実施形態の底側規制突起１３ａの最高突出長Ｈ４（図３（ｄ））は１ｍｍ程度としてある。この寸法は一例であり、底側規制突起１３ａの最高突出長Ｈ４は１ｍｍより高くすることも低くすることもできる。
【００２５】
前記持ち手部２０は、作業時に手で持つ部分である。この実施形態の持ち手部２０は端部が弧状に面取りされた細長板状の持ち手基部２０ａと、持ち手基部２０ａの幅方向両外側に突出する突設片２０ｂを備えている。持ち手基部２０ａは厚さ３ｍｍ程度であり、本体１０の外壁部１１の低い位置、より具体的には外壁部１１と底面部１３のつなぎ部分に外向きに突設されている。
【００２６】
持ち手基部２０ａに設けられた両突設片２０ｂは平面視台形状であり、持ち手基部２０ａから分離することができる。この実施形態の突設片２０ｂは厚さ０．６ｍｍ程度としてある。ただし、この数値は一例であり、突設片２０ｂは０．６ｍｍより薄くすることも厚くすることもできる。図５（ａ）〜（ｃ）に示すように、分離した突設片２０ｂは、印象採得完了後、石膏Ｓの流し込みを行う際に、石膏Ｓが印象材Ｘの歯型凹部Ｚの長手方向両端側から流れ出るのを防止するせき止め部材として用いるものである。突設片２０ｂは必要に応じて設ければよく、不要な場合には省略することもできる。持ち手部２０は作業に際して手で持てる形状であればこれ以外であってもよい。
【００２７】
この実施形態の印象トレイは、図６（ａ）〜（ｆ）のような外観を備えている。図６（ａ）はこの実施形態の印象トレイの正面図、図６（ｂ）は図６（ａ）の背面図、図６（ｃ）は図６（ａ）の平面図、図６（ｄ）は図６（ａ）の底面図、図６（ｅ）は図６（ａ）の左側面図、図６（ｆ）は図６（ａ）の右側面図である。本発明の印象トレイでは、前側規制突起１１ｃ、裏側規制突起１２ｂ、側方規制突起１２ｃ、底側規制突起１３ａ、突設片２０ｂの部分が、従来の印象トレイにはない特徴的な部分である。
【００２８】
（その他の実施形態）
前記実施形態では、前側規制突起１１ｃ、裏側規制突起１２ｂ、側方規制突起１２ｃ、及び底側規制突起１３ａのすべてが設けられた印象トレイを一例としているが、本発明の印象トレイは、これらのすべてを備えている必要はなく、いずれか一又は二以上を備えたものであってもよい。
【００２９】
前記実施形態では、印象トレイが樹脂製の場合を一例としているが、本発明の印象トレイは、金属製等、樹脂以外の材質製であってもよい。
【００３０】
前記実施形態では、本体１０が外壁部１１と内壁部１２と底面部１３を備えた場合を一例としているが、本発明の印象トレイにおける本体１０は、従来の上顎用トレイのように、内壁部１２の代わりに湾曲隆起部（図示しない）を備えたものであってもよい。この場合、裏側規制突起１２ｂや側方規制突起１２ｃは湾曲隆起部に設けることができる。なお、本体１０の形状は一例であり、これ以外の形状（例えば、片顎用のものなど）とすることもできる。
【００３１】
前記実施形態では、裏側規制突起１２ｂの形状を前方に向けた下り傾斜としているが、裏側規制突起１２ｂの形状は、図７（ａ）のような側面視縦長の長方形のような形状とすることもできる。図７（ａ）のような形状とした場合、中切歯Ｔや歯茎が裏側規制突起１２ｂに接触するのを防止することができる。
【００３２】
前記実施形態の印象トレイには設けられていないが、内壁部１２の上面には、図７（ａ）に示すような溝１２ｅを設けることもできる。この溝１２ｅは、上顎側の歯牙（以下「上顎歯牙」という）が印象材Ｘの適正な位置に埋入されるようにするための目印となる溝である。
【００３３】
溝１２ｅを備えていない印象トレイの場合、使用者によっては、上顎歯牙の前面が外壁部１１の内面に接近しすぎて前面側が極端に薄くなる場合がある。これに対し、溝１２ｅを備えた印象トレイの場合、口腔内に入れた印象トレイを上顎歯牙の先端が溝１２ｅ内に収まる位置で一旦停止させ、その後、上顎歯牙の先端が内壁部１２の上面をスライドするように押し込むことによって、上顎歯牙の前面が外壁部１１の内面に接近するのを抑制し、上顎歯牙を印象材Ｘの適正な位置に埋入させることができる。
【００３４】
前記実施形態の印象トレイには設けられていないが、底面部１３の裏面には、図７（ａ）（ｂ）に示すような底面リブ１３ｂを突設することもできる。この底面リブ１３ｂは、印象採得時に上下の前歯（犬歯よりも内側の歯牙）のみで印象トレイを固定できるようにするものである。印象採得時に印象トレイに奥歯があたると、印象トレイが傾いて適切な印象を採得できない場合がある。これに対し、底面リブ１３ｂを備えた印象トレイによれば、印象トレイに奥歯が当たることによる印象トレイの傾きを防止することができる。
【００３５】
図７（ａ）（ｂ）に示す印象トレイは、図８（ａ）〜（ｆ）のような外観を備えている。図８（ａ）は図７（ａ）（ｂ）に示す印象トレイの正面図、図８（ｂ）は図８（ａ）の背面図、図８（ｃ）は図８（ａ）の平面図、図８（ｄ）は図８（ａ）の底面図、図８（ｅ）は図８（ａ）の左側面図、図８（ｆ）は図８（ａ）の右側面図である。
【００３６】
図８（ａ）〜（ｆ）に示す印象トレイでは、前側規制突起１１ｃ、裏側規制突起１２ｂ、側方規制突起１２ｃ、底側規制突起１３ａ、突設片２０ｂの部分に加え、内壁部１２の上面の溝１２ｅや底面部１３の裏面に設けられた底面リブ１３ｂが従来の印象トレイにはない特徴的な部分である。
【００３７】
（使用例）
本発明の印象トレイの使用例を、図５（ａ）〜（ｃ）を参照して説明する。ここでは本発明の印象トレイを用いて上顎歯牙の印象を採得する場合について説明する。
（１）図５（ａ）に示すように、本体１０の印象材充填部Ｙに印象材Ｘを充填する。
（２）印象材Ｘを充填した印象トレイを口腔内に入れ、当該印象材Ｘを上顎歯牙に押し当てて印象を採得する。
（３）印象採得後、印象トレイを口腔内から取り出し、印象採得した印象材Ｘを洗浄する（図５（ｂ））。
（４）図５（ｃ）に示すように、持ち手基部２０ａから突設片２０ｂを分離し、印象材Ｘに形成された歯型凹部Ｚの長手方向両端側に立設する。
（５）突設片２０ｂを立設した後、印象材Ｘの歯型凹部Ｚに石膏Ｓを流し込む。石膏Ｓの流し込み後、印象トレイをバイブレータに載せて脱気及び石膏Ｓの均等充填を行う。
（６）硬化した石膏Ｓを印象材Ｘの歯型凹部Ｚから取出し、歯型模型を完成させる。
【００３８】
前記使用例では、上顎歯牙に印象材Ｘを押し当てる際に、前側規制突起１１ｃ、裏側規制突起１２ｂ、側方規制突起１２ｃ、底側規制突起１３ａ等によって、歯牙が適正な位置に誘導されるため、歯牙が印象トレイの外壁部１１や内壁部１２等に接触することがなく、外壁部１１や内壁部１２等に接触することによる不都合が生じにくい。
【００３９】
また、印象材Ｘの歯型凹部Ｚの長手方向両端側に突設片２０ｂを立設してあるため、石膏Ｓが歯型凹部Ｚから流れ出しにくい。従来の印象トレイには、歯型凹部Ｚの長手方向両端側に立設する突設片２０ｂのようなものがなかったため、バイブレータによって石膏Ｓ内の空気を抜き取る際に、歯型凹部Ｚから石膏Ｓが流れ出さない角度に印象トレイを保持する必要があったが、この実施形態の印象トレイのように歯型凹部Ｚの長手方向両端側に立設する突設片２０ｂを備えている場合、印象トレイを歯型凹部Ｚから石膏Ｓが流れ出さない角度に保持する必要がないため、バイブレータを用いた脱気作業が容易になる。
【００４０】
前記使用例は、上顎歯牙の印象を採得する場合を一例としているが、下顎側の歯牙（下顎歯牙）の印象を採得する場合も同様の手順で印象採得を行うことができる。
【産業上の利用可能性】
【００４１】
本発明の印象トレイは、装着者自身で印象採得を行う場合のほか、歯科医院で歯科医が患者の印象採得を行う場合にも用いることができる。
【符号の説明】
【００４２】
１０    本体
１１    外壁部
１１ａ  外壁スリット
１１ｂ  無穴面
１１ｃ  規制突起（前側規制突起）
１１ｄ  外側縦柱部
１２    内壁部
１２ａ  内壁スリット
１２ｂ  規制突起（裏側規制突起）
１２ｃ  規制突起（側方規制突起）
１２ｄ  内側縦柱部
１２ｅ  溝
１３    底面部
１３ａ  規制突起（底側規制突起）
１３ｂ  底面リブ
２０    持ち手部
２０ａ  持ち手基部
２０ｂ  突設片
Ｓ      石膏
Ｔ      中切歯
Ｗ１    外壁部
Ｗ２    内壁部
Ｘ      印象材
Ｙ      印象材充填部
Ｚ      歯型凹部
【図１】
2020054818.tif 000003
【図２】
2020054818.tif 000004
【図３】
2020054818.tif 000005
【図４】
2020054818.tif 000006
【図５】
2020054818.tif 000007
【図６】
2020054818.tif 000008
【図７】
2020054818.tif 000009
【図８】
2020054818.tif 000010